(57)【要約】【課題】  ビール缶などで需要がありながら、強度低下に起因して飲み口を大きくすることがでず、実用化に至れていない流出速度の速いパーシャルオープンステイオンタブ式缶を、現状の材料、コスト、及び製缶工程に於いて生産が可能な、かつシンプルな構造を発明して製品化することを目的とする。【解決手段】  従来と同様の開け方で飲み口と同時に開封される吸気口用スコアを施し、吸気口と流出口を分離することで流出速度を速めるとともに、横長の飲み口、滑らかな流出などの新たな付加価値を持った製品の提供を行う。【選択図】図１
2008013253.tif 000002
【特許請求の範囲】
【請求項１】
パーシャルオープンステイオンタブ式缶で、缶蓋パネルに二つのスコアと、この二つのスコアに挟まれたパネル部分にリベットが施されたことを特徴とする、またはパーシャルオープンステイオンタブ式缶で、缶蓋パネルに三つ以上のスコアと、これらスコアに囲まれたパネル部分にリベットが施されたことを特徴とする缶蓋、及びこの缶蓋を有する缶、缶飲料。
【請求項２】
リベットに取り付けられたタブを動かすことで、少なくとも二つ以上のスコアが切断され、開封されるようにスコアが配置された請求項１のパーシャルオープンステイオンタブ式の缶蓋、及びこの缶蓋を有する缶、缶飲料。
【請求項３】
施されたスコアの少なくとも一つはリベットに取り付けられたタブに押されて破断され、かつ少なくとも一つのスコアが、スコアに挟まれた、または囲まれたリベット接合部分のパネルが歪むことで破断されることを特徴とした請求項１、請求項２のパーシャルオープンステイオンタブ式の缶蓋、及びこの缶蓋を有する缶、缶飲料。
【請求項４】
缶蓋の中心点から外れてリベットが施された請求項１、請求項２、及び請求項３のパーシャルオープンステイオンタブ式の缶蓋、及びこの缶蓋を有する缶、缶飲料。
【発明の詳細な説明】
【技術分野】
【０００１】  本発明は、パーシャルオープンステイオンタブ式缶の缶蓋、及びこの缶蓋を有する缶、缶飲料に関するものである。
【背景技術】
【０００２】  パーシャルオープンとは、缶蓋にスコアとリベット、及びこのリベットで取り付けられたタブが施され、タブを動かすことで、スコア部分が破断されて、缶蓋の一部が開封されるもので、飲料などの液体入れる容器に広く用いられているものを言う。【０００３】  またステイオンタブ式とは、スコアが破断されても破断部位が缶内部に押し込まれた状態で缶蓋パネルと切り離されることなく缶本体に残るもので、本発明はこれを対象とするが、仮にこの破断部位が切り離された状態で缶内部に残留するものであっても本発明の対象に該当する。【０００４】  このタイプの缶は、破断されて飲み口、即ち流出口となるスコアと、このスコアを押して破断させるタブ、及びこのタブを取り付け部分であり、かつ支点の役割を果たすリベットが缶蓋のパネルに施されているものである。【０００５】  従来のパーシャルオープンステイオンタブ式は、開封の手間を最小限に留めるため、一回の動作で開封されるように一つだけスコアが施され、内容物である液体を注ぐ際には、このスコアが切断され開封された一つの部分で、液体の流出と缶内への吸気を同時に行うものであった。【０００６】  このため、液体が流出する際は脈打ちをして流出速度が遅くなり、ビールなどの飲料缶では流出速度を速める改善が求められている。【０００７】  この問題を解決するためには、流出口とは別に吸気口を施し、この両者の大きさや形状を調節して流出と吸気を釣り合わせることで、最大限の流出速度が得られる。【０００８】  しかしながら現時点では、各々を開封させるために二度手間となるか、または両者を同時に開けるために複雑な蓋の構造が要求されたり、開封に要する力が増したりする問題を抱え、未だ産業上での利用に至っていない。【０００９】  また、流出口が一つの場合は、流出口を大きくすることで解決されるが、パネルの厚さを薄くしているビール缶では缶蓋の強度が低下して実用化に至れていない。【００１０】  この背景には、流出速度が遅いことに併せて、一つの開封部分で流出と吸気を効率的に行うために、流出口は缶蓋の中心点付近より縁に向けた方向、即ち縦方向に長く施す必用性があり、現状では非効率な形状、大きさの流出口とならざるを得ないことも一因として挙げられる。【００１１】  このため、流出口を人間の口に合う横長とすることもできず、飲み心地も改善の余地がある。【００１２】  更にはこの縦長の流出口は、リベットの接合位置を缶蓋の中心から外して取り付けてタブを長くして開封に要する力量を低減することを妨げており、これら問題を解決する有効かつ実用的な手段が見出せずにいる。【００１３】  今回、これらの問題を、現状の材質、実際の製缶工程で生産可能な、かつコストのかからない方法で一斉に解決し、より使い易い製品の提供を目的とする。
【発明の開示】
【発明が解決しようとする課題】
【００１４】  産業上で利用できる生産コスト、実生産で製造が可能な構造、かつ一回の動作で流出口と吸気口を同時に開封できるパーシャルオープン式缶の構造を発明することで、流出速度の向上を図る。【００１５】  更には、従来の縦型の流出口の形状に制限されることなく、十分な流出速度を保ち、かつ人の口に合わせた横長の飲みやすい流出口の缶飲料の提供を可能とする。
【課題を解決するための手段】
【００１６】  缶蓋パネルにリベットを取り付け、このリベットを挟むように配置した二つの独立したスコアを施す。この場合の独立したスコアとは、開封後の内容物を流出させる際に、一方は主に流出の役割を果たす流出口となるスコアと、また一方は主に吸気の役割を果たす吸気口となるスコアで、開封の後に繋がることなく、また一方が他方を囲んでいないことを意味し、この条件を満たす二つのスコアが施されていれば、スコアは二つに限られる必要はなく三つ以上であっても良い。【００１７】  流出口となるスコアは缶蓋の縁近くに施し、形状は環状の一部が途切れているもので、横長の楕円状のものが好ましい。また、完全な環状のスコアで、開封部のパネルが缶本体から切り離されて缶内部に残留するものでも良い。【００１８】  一方、吸気口用スコアは線状であっても、完全または不完全を問わず環状であってもよいが、スコアの長さが長くなって開封時に要する力量が大きくならないように、開封時は亀裂のようものでも十分吸気ができるため単なる線状のスコアが好ましく、タブに隠れた部分に配置されていれば一層好ましい。【００１９】  線状の吸気口用スコアを施す場合は、曲線や波状であれば吸気口を大きく開けることができ、効率的な吸気ができ、缶蓋の強度を維持するためにも有効である。【００２０】  二つのスコアに挟まれたパネル部分に施されたリベットでタブを取り付ける。この際二つのスコアの間隔、リベットの位置などは後述の点に留意して配置する必要がある。【００２１】  一つの流出口の面積を大きくするために連続する一つのスコアを長くせず、配置を考慮して缶蓋の別の位置に線状のスコアを施すことで、従来問題とされていた強度の低下を回避できる。また、流出口は缶蓋の縁に沿って横長に施すことは、強度を維持する面でも有効である。【００２２】  吸気口用スコアとリベットの距離が離れすぎると開封に要する力量が大きくなったり、吸気口が開封されなかったりする一方で、二つのスコアが近すぎるとリベットと接合されている缶蓋パネル部分の強度が弱くなり過ぎて、開封時にスコア以外の部分まで切断されたり、必要以上に曲がったりしてしまい不適当である。【００２３】  本発明はリベットと接合されている缶蓋のパネル部分が開封時に適度に歪むことで、吸気口用スコアが破断されて吸気口が開封される構造であるため、二つのスコアの距離や、リベットと吸気口用スコアとの距離を、パネルの材質や厚さなどに起因したリベット接合部分の缶蓋パネルの強度や特性を勘案して各々の配置を調節する必要がある。この際、流出口を下にして吸気口が上にあればあるほど、即ち二つのスコアが上下に離れていればいるほど吸気は円滑になされる。【００２４】  流出口の大きさや形、内容物の粘性や量、容器の傾斜角度などにより変動するが、同じ大きさの流出口では、一部分を仕切って効率的に吸気が得られるようにしたものは、仕切らない場合に比べて、１．５倍から２倍程度の流速となるため、従来と同じ流速を確保するのであれば、本発明の流出口の面積は従来のものの３分の２から半分程度までに縮小することが出来る。【００２５】  仮に流出口が円形で同じ流出速度を想定した場合、吸気口を施すことで、本発明の流出口スコアの長さは従���ものの７割から８割程度に低減でき、残りの２から３割の長さを吸気口スコアに割り当てることができる。また本発明の流出口の形状に関しても、流出と吸気を一つの口で行うため縦長、または円形に近い形となっていた従来の形状に囚われることなく、飲みやすい横長とすることができる。【００２６】  更には、本発明で可能となった流出口の縮小や、缶蓋の中心点より離れて流出口を施すことにより、リベットも中心点から外れて施せるようになり、これによりタブを長くして力点と支点の距離を離し、開封に要する力量を軽減することも可能となる。【００２７】  吸気口用スコア部分の切断、即ち吸気口の開封に要する力量の増大分は、先述の通り、流出口を縮小することで相殺でき、相殺しきれない場合でもタブを長くすることで開封に要する力量が十二分に低減できる。【００２８】  タブを長くすることで得られた余剰の開封に要する力量の軽減は、そのまま開け易い製品の特徴としても良いし、スコアを長くして流出速度の向上としても良い。スコアを長くする場合、一つの連続したスコアを長くしすぎることは缶蓋の強度を低下させるため、流出口の大きさは従来のものまでの長さに留め、流出口用スコアとは独立している吸気口用スコアに費やすと良い。
【発明の効果】
【００２９】  先述の通り、本発明は産業上で利用できる生産コスト、現状の材質及び実生産ラインで製造が可能な構造、かつ一回の動作で流出口と吸気口を同時に開封できるパーシャルオープンステイオン式缶の構造で、これにより流出速度が改善される。【００３０】  また、従来の縦型の流出口の形状に制限されることなく、十分な流出速度を保ち、脈打ちすることなく滑らかな流出となる、かつ人の口に合わせた横長の飲みやすい流出口の缶飲料の提供が可能となる。【００３１】  更に、開封に要する力量の軽減も可能となる。
【発明を実施するための最良の形態】
【００３２】  これを図面で説明すると、パーシャルオープンステイオンタブ式の缶蓋とするため、缶蓋パネル（１）に横長の流出口用スコア（５）を施し、更に缶蓋の中心点（６）の付近に吸気口用スコア（４）を施す。【００３３】  スコア（５）と（４）の間の缶蓋パネル部分（９）にリベット（３）を施し、このリベット（３）にタブ（２）を取り付ける。このタブ（２）はフルオープン缶に用いられるような、パーシャルオープン缶に用いられるタブに比べてリベット接合部分が補強されているものを用いる。【００３４】  この流出口用スコア（５）は、吸気に配慮して縦長や円形に近い形とする必用性はなく横長とすることができるため、缶蓋の中心点（６）から離れて施すことができ、必然的にリベット（３）の位置も缶蓋の中心点（６）を外して取り付けられる。【００３５】  このため、タブ（２）も缶蓋の半径に制限されることなく、長くすることができるため、タブの力点（８）と支点となるリベット（３）の間を長くできる。【００３６】  それぞれの部分の大きさや形状は、製品に要求される流出量や機能に従って設定する。また、それぞれの部分の配置は、それぞれの部分の大きさ、形状、材質に起因する強度などを考慮して設定する。【００３７】  特にリベット（３）を取り付ける缶蓋パネル部分（９）は、輸送中の衝撃等に耐えうる十分な強度と、流出口用スコア（４）を開封させる時に負荷される力量、及び吸気口用スコアを破断させる歪みを考慮しなければならないため、スコア（５）、（４）、及びリベット（３）の形状や配置は、缶蓋パネル（１）の材質に起因する強度等を考慮して設定される必要がある。
【実施例】
【００３８】  これを利用する際には、通常のパーシャルオープンステイオンタブ式缶の開封と同様に、タブ（２）の力点（８）の部分を引き上げるだけで良い。【００３９】  この操作により、タブ（２）の作用点（７）が流出口用スコア（５）を押し下げて破断させ、流出口が開封されると同時に、リベット（３）でタブ（２）に接している缶蓋パネル部分（９）に歪みを生させて、吸気口用スコア（４）を破断させ亀裂状の吸気口が開封される。【００４０】  開封に必要とされる力量は、従来の流出量を維持するのであれば、流出口用スコアの長さは従来の７から８割程度に留め、残りの２から３割の長さを吸気口用スコアの長さに割り振れば、タブの長さを伸ばすことなく従来のものを開封する力量と同等程度となる。【００４１】  流出速度を高める場合は、流出口用スコアの長さを長くして、流出口の面積を拡大すればよく、開封に要する力量の増大はタブの長さを増して相殺すればよい。【００４２】  以上のことより、横長の流出口、流出速度の改善、開封時の必用力量の軽減、即ち開け易く、飲み易い飲み口、一気に飲めることを特徴とする缶、及び飲料製品の提供が可能となる。
【産業上の利用可能性】
【００４３】  先述の通り、流出速度を速めた缶はビール缶などの用途で既に需要は存在しているが、ビール缶は材質を薄くしているため、流出口を大きくすると缶蓋の強度が低下して製品化することができず、これを実施するには、強度を高めるために材質の厚みを増してコストアップとならざるを得ないため、競争の激しいビール業界で実用化することは困難な状況下にある。【００４４】  本発明は、現状の材質を用いて、かつ従来の加工技術で対応可能な方法でこの問題を解決し、コストアップには繋がらない。【００４５】  従来缶蓋パネルに施していたスコアの構造やリベットの配置を変えるだけで本発明の主要な効果の殆どは具現化される。従来の流出口用スコアを施すと同時に本発明の吸気口用スコアを施せるし、従来取り付けているリベットの位置を変えるだけでよい。【００４６】  更に開封に要する力量を軽減したり、一層の流出速度を速めたりして付加価値を高めるには従来のタブとは長さ、強度が異なるものを使用するが、これは企業の選択肢となる。【００４７】  更には、本発明を使って、流出速度を速めず、従来の流出速度の維持を前提として流出口を小さくすることで、必要とされる材質の強度は低減され、材質の開発を以って更なる資材の削減も可能となる。【００４８】  以上の通り、本発明はコストアップせずに付加価値の向上が図れる、産業上で極めて有益な技術である。
【図面の簡単な説明】
【００４９】
【図１】  パーシャルオープンステイオンタブ式缶蓋の正面図
【図２】  パーシャルオープンステイオンタブ式缶蓋の裏面図
【符号の説明】
【００５０】  １は缶蓋パネル
２はタブ
３はリベット
４は吸気口用スコア
５は流出口用スコア
６は缶蓋の中心点
７はタブの作用点
８はタブの力点
９は二つのスコア（４）と（５）に挟まれたパネル部分
【図１】
2008013253.tif 000003
【図２】
2008013253.tif 000004